(57)【要約】【課題】部品点数を増加させないで、材料の使用量を削減し且つモータ固定支持具の強度を補強することができる空気調和機の室外機を得る。【解決手段】モータ固定支持具２４は、左右方向両側に各々設けられ、上下方向に延びる長尺状の基部２４ｂ１，２４ｂ２と、各基部２４ｂ１，２４ｂ２の両側端から短手方向に各々延出する折り返し片２４ｃ１，２４ｃ２，２４ｄ１，２４ｄ２と、を有し、基部２４ｂ１から基部２４ｂ２に向かう短手方向に延出する折り返し片２４ｃ１及び基部２４ｂ２から基部２４ｂ１に向かう短手方向に延出する折り返し片２４ｃ２の延出方向の長さは、折り返し片２４ｄ１，２４ｄ２の延出方向の長さよりも長い。【選択図】図６
2016031213.tif 000002
【特許請求の範囲】
【請求項１】
筐体と、
前記筐体の内部に設けられる室外熱交換器と、
前記室外熱交換器の前面に設けられるファンと、
前記ファンを駆動するモータと、
前記モータを固定するモータ固定支持具と、を備え、
前記モータ固定支持具は、
左右方向両側に各々設けられ、上下方向に延びる長尺状の基部と、
各前記基部の両側端から短手方向に各々延出する折り返し片と、を有し、
一方の前記基部から他方の前記基部に向かう短手方向に延出する折り返し片及び他方の前記基部から一方の前記基部に向かう短手方向に延出する折り返し片の延出方向の長さは、他の折り返し片の延出方向の長さよりも長く、
各前記基部の両側端から短手方向に各々延びる折り返し片は、折り曲げられた状態で、前記筐体の前面側又は前記筐体の背面側に延出している
ことを特徴とする空気調和機の室外機。
【請求項２】
一方の前記基部と他方の前記基部とを接続する接続部を備えた
ことを特徴とする請求項１に記載の空気調和機の室外機。
【請求項３】
各前記基部の両側端から短手方向に各々延びる折り返し片の少なくとも１つには膨出部が設けられている
ことを特徴とする請求項１又は請求項２に記載の空気調和機の室外機。
【請求項４】
前記モータ固定支持具には、前記モータを保持するモータ保持部が設けられ、
前記折り返し片は、前記モータ保持部よりも下部に設けられる前記基部の両側端から短手方向に各々延出する
ことを特徴とする請求項１〜請求項３の何れか一項に記載の空気調和機の室外機。
【請求項５】
前記モータ固定支持具は、
板金プレス一体成形によって形成される
ことを特徴とする請求項１〜請求項４の何れか一項に記載の空気調和機の室外機。
【発明の詳細な説明】
【技術分野】
【０００１】
本発明は、空気調和機の室外機に関する。
【背景技術】
【０００２】
従来、ファンを駆動する駆動用モータを固定するためのモータ固定支持具を備えた空気調和機があった（例えば、特許文献１参照）。
【０００３】
特許文献１に記載の空気調和機においては、室外機の輸送時に、ファン及びモータの重さによって、モータ固定支持具の変形等の製品不良が発生しないように、モータ固定支持具にＵ字状の強度補強板をネジで固定している。これにより、必要とされる強度の確保を図っている。
【先行技術文献】
【特許文献】
【０００４】
【特許文献１】特開平８−１２８６６５号公報（第２頁、図１）
【発明の概要】
【発明が解決しようとする課題】
【０００５】
しかしながら、特許文献１に記載の空気調和機においては、モータ固定具と強度補強板とが別体で構成されるため、上述のようにネジ等の固定部材を要する。このため、部品点数が増加してしまうという課題があった。また、部品点数が増加するため、取付作業工程が増え、材料の使用量が増えるという課題があった。
【０００６】
本発明は、上述のような課題を背景としてなされたものであり、部品点数を増加させないで、材料の使用量を削減し且つモータ固定支持具の強度を補強することができる空気調和機の室外機を得ることを目的としている。
【課題を解決するための手段】
【０００７】
本発明における空気調和機の室外機は、筐体と、前記筐体の内部に設けられる室外熱交換器と、前記室外熱交換器の前面に設けられるファンと、前記ファンを駆動するモータと、前記モータを固定するモータ固定支持具と、を備え、前記モータ固定支持具は、左右方向両側に各々設けられ、上下方向に延びる長尺状の基部と、各前記基部の両側端から短手方向に各々延出する折り返し片と、を有し、一方の前記基部から他方の前記基部に向かう短手方向に延出する折り返し片及び他方の前記基部から一方の前記基部に向かう短手方向に延出する折り返し片の延出方向の長さは、他の折り返し片の延出方向の長さよりも長く、各前記基部の両側端から短手方向に各々延びる折り返し片は、折り曲げられた状態で、前記筐体の前面側又は前記筐体の背面側に延出しているものである。
【発明の効果】
【０００８】
本発明によれば、モータ固定支持具の強度を補強する折り返し片が、モータ固定支持具の一要素となっているため、部品点数を増加させることなく、材料の使用量を削減し且つモータ固定支持具の強度を補強することができる。また、一方の基部から他方の基部に向かう短手方向に延出する折り返し片及び他方の基部から一方の基部に向かう短手方向に延出する折り返し片の延出方向の長さは、他の折り返し片の延出方向の長さよりも長いため、材料の使用量を削減することができる。
【図面の簡単な説明】
【０００９】
【図１】本発明の実施の形態１に係る空気調和機の室外機１００の正面図である。
【図２】本発明の実施の形態１に係る空気調和機の室外機１００の分解斜視図である。
【図３】本発明の実施の形態１に係る空気調和機の室外機１００のモータ固定支持具２４の斜視図である。
【図４】本発明の実施の形態１に係る空気調和機の室外機１００のモータ固定支持具２４の下部の斜視図であり、図３を詳細に示した図である。
【図５】本発明の実施の形態１に係る空気調和機の室外機１００のモータ固定支持具２４の展開図である。
【図６】本発明の実施の形態１に係る空気調和機の室外機１００の支持部２４ａの上面断面拡大図を示す第１の例である。
【図７】本発明の実施の形態１に係る空気調和機の室外機１００の支持部２４ａの上面断面拡大図を示す第２の例である。
【図８】支持部の上面断面拡大図を示す参考図である。
【図９】支持部の上面断面拡大図を示す参考図である。
【図１０】本発明の実施の形態２に係る空気調和機の室外機１００のモータ固定支持具２４の上面断面図である。
【発明を実施するための形態】
【００１０】
以下、本発明における空気調和装置の室外機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
実施の形態１．
図１は本発明の実施の形態１に係る空気調和機の室外機１００の正面図である。図２は本発明の実施の形態１に係る空気調和機の室外機１００の分解斜視図である。図３は本発明の実施の形態１に係る空気調和機の室外機１００のモータ固定支持具２４の斜視図である。図４は本発明の実施の形態１に係る空気調和機の室外機１００のモータ固定支持具２４の下部の斜視図であり、図３を詳細に示した図である。
【００１２】
図１に示されるように、室外機１００の外郭は筐体５０で構成される。図２に示されるように、筐体５０は、前側面パネル５０ａ、右側面パネル５０ｂ、底面パネル５０ｃ、天面パネル５０ｄ及び背面パネル（図示省略）で構成される。前側面パネル５０ａは、筐体５０の前面側及び左側面側を構成するものであり、例えば平面視Ｌ字形状の部材で構成される。また、図２に示されるように、筐体５０の内部には仕切板１が設けられている。仕切板１が設けられることで、筐体５０の内部は機械室１０及び送風機室２０に区画される。
【００１３】
なお、前側面パネル５０ａは、筐体５０の前面部を構成する部分と、筐体５０の左側面部を構成する部分とを別部品で構成してもよい。すなわち、前側面パネル５０ａを、筐体５０の前面部を構成する前面パネルと、筐体５０の左側面部を構成する左側面パネルとに分割してもよい。
【００１４】
機械室１０には、圧縮機１１、電気品箱１２、及び冷媒配管１３が設けられている。電気品箱１２の内部には、制御基板（図示省略）が設けられている。図示省略の制御基板は、例えば、圧縮機１１の回転数を制御するための部材である。なお、図示省略の制御基板は、例えば、この機能を実現する回路デバイスなどのハードウェア、又はマイコン若しくはＣＰＵなどの演算装置上で実行されるソフトウェアで構成される。
【００１５】
送風機室２０には、室外熱交換器２１、ファン２２、モータ２３、モータ固定支持具２４、上部板２５、及び支持板接続部２６が設けられる。室外熱交換器２１は、ファン２２、モータ２３、モータ固定支持具２４、上部板２５、及び支持板接続部２６よりも室外機１００の背面側に設けられるようになっている。
【００１６】
室外熱交換器２１は、例えば平面視してＬ字形状のものであり、前側面パネル５０ａの左側面側の面、及び背面パネル（図示省略）に沿うように設けられる。ファン２２は、例えばプロペラファンで構成される送風手段であり、熱交換を効率的に行うための空気循環を生成する。ファン２２は、室外機１００の背面側から室外機１００内部に外気を導入し、室外機１００内部に導入された外気を室外機１００の前面側に向かって排出する機能を有する。
【００１７】
モータ２３は、ファン２２を駆動する駆動手段であり、例えばネジ等の固定手段を用いてモータ固定支持具２４に取り付けられる。モータ固定支持具２４は、モータ２３を支持するためのものであり、底面パネル５０ｃから上方に向かう枠状の部材である。なお、モータ固定支持具２４の詳細については後述する。
【００１８】
上部板２５は、例えば底面パネル５０ｃと略水平に設けられる板状の部材である。上部板２５は、モータ２３が大型化した場合を考慮して、モータ固定支持具２４の強度補強を図るための部材であり、モータ固定支持具２４に接続されている。上部板２５は、例えばモータ固定支持具２４の最上端から筐体５０の前方に向かうようにして取り付けられる。
【００１９】
支持板接続部２６は、例えばＵ字形状の部材であり、例えばモータ固定支持具２４と一体で構成される。支持板接続部２６は、その内面が室外熱交換器２１の上面に接触するようにして設けられている。このように、支持板接続部２６が室外熱交換器２１に取り付けられることで、モータ固定支持具２４は、室外熱交換器２１に固定される。
【００２０】
図３に示されるように、モータ固定支持具２４は、支持部２４ａ１，２４ａ２と、接続部２４ｚ１，２４ｚ２，２４ｚ３，２４ｚ４と、を備える部材である。モータ固定支持具２４は、例えば、板金プレス一体成形によって形成される。モータ固定支持具２４は、筐体５０に設けられた状態で筐体５０の上下方向に延びている。モータ固定支持具２４には、例えばネジ（図示省略）等の固定手段を用いてモータ２３が取り付けられる。モータ固定支持具２４には、空洞部２４ｏ１，２４ｏ２が設けられている。図３の下部の拡大図は、例えば図４に示されるようになっている。以後の説明において、支持部２４ａ１，２４ａ２を支持部２４ａと総称することがあるものとする。
【００２１】
支持部２４ａ１，２４ａ２は、モータ固定支持具２４の左右方向両側に各々設けられ、上下方向に延びる部位である。接続部２４ｚ１，２４ｚ２，２４ｚ３，２４ｚ４は、支持部２４ａ１と支持部２４ａ２とを接続する部位である。モータ固定支持具２４の上方から順に接続部２４ｚ１，２４ｚ２，２４ｚ３，２４ｚ４が設けられている。
【００２２】
空洞部２４ｏ１，２４ｏ２は、モータ固定支持具２４に吹き出された空気流れの一部を通すための開口部である。空洞部２４ｏ１は、接続部２４ｚ１と接続部２４ｚ２との間に位置している。空洞部２４ｏ２は、接続部２４ｚ３と接続部２４ｚ４との間に位置している。このように、空洞部２４ｏ１，２４ｏ２が形成されることで、筐体５０の内部に流入した外気の流れの妨げを抑制することができる。
【００２３】
図５は、本発明の実施の形態１に係る空気調和機の室外機１００のモータ固定支持具２４の展開図である。図５に示される点線枠は、支持部２４ａ１，２４ａ２の一部を指している。図５に示されるように、支持部２４ａ１は、基部２４ｂ１と、折り返し片２４ｃ１，２４ｄ１と、を備える。また、支持部２４ａ２は、基部２４ｂ２と、折り返し片２４ｃ２，２４ｄ２と、を備える。なお、図５中のＷ１は、モータ固定支持具２４の材料幅を示している。
【００２４】
基部２４ｂ１は、モータ固定支持具２４の左右方向の一方に設けられ、上下方向に延びる長尺状の部位である。折り返し片２４ｃ１，２４ｄ１は、基部２４ｂ１の両側端から短手方向に各々延出する部位である。基部２４ｂ２は、モータ固定支持具２４の左右方向の他方に設けられ、上下方向に延びる部位である。折り返し片２４ｃ２，２４ｄ２は、基部２４ｂ２の両側端から短手方向に各々延出する部位である。
【００２５】
折り返し片２４ｃ１，２４ｃ２の延出方向の長さは、折り返し片２４ｄ１，２４ｄ２の延出方向の長さよりも長くなっている。すなわち、基部２４ｂ１から基部２４ｂ２に向かう短手方向に延出する折り返し片２４ｃ１及び基部２４ｂ２から基部２４ｂ１に向かう短手方向に延出する折り返し片２４ｃ２の延出方向の長さは、折り返し片２４ｄ１，２４ｄ２の延出方向の長さよりも長い。なお、折り返し片２４ｃ１，２４ｃ２の延出方向の長さは、例えば、同一長さとなっている。また、折り返し片２４ｄ１，２４ｄ２の延出方向の長さは、例えば、同一長さとなっている。
【００２６】
図６は本発明の実施の形態１に係る空気調和機の室外機１００の支持部２４ａの上面断面拡大図を示す第１の例である。図７は本発明の実施の形態１に係る空気調和機の室外機１００の支持部２４ａの上面断面拡大図を示す第２の例である。図８は支持部の上面断面拡大図を示す参考図である。図９は支持部の上面断面拡大図を示す参考図である。
【００２７】
図６に示されるように、支持部２４ａは、横断面視において略Ｕ字状になっている。図６に示される折り返し片２４ｃ１，２４ｃ２，２４ｄ１，２４ｄ２は、図５に示される折り返し片２４ｃ１，２４ｃ２，２４ｄ１，２４ｄ２を筐体５０の背面側に折り曲げることで形成される。ここで、筐体５０の背面側とは、筐体５０の内部における空気の流れ方向の下流側から上流側に向かう方向を指している。
【００２８】
ここで、上述したように、折り返し片２４ｃ１，２４ｃ２の延出方向の長さは、折り返し片２４ｄ１，２４ｄ２の延出方向の長さよりも長くなっている。このため、折り返し片２４ｃ１，２４ｃ２，２４ｄ１，２４ｄ２を筐体５０の背面側に折り曲げた状態で、折り返し片２４ｃ１，２４ｃ２の筐体５０の背面側端部は、折り返し片２４ｄ１，２４ｄ２の筐体５０の背面側端部よりも後方に位置している。
【００２９】
なお、折り返し片２４ｃ１，２４ｃ２，２４ｄ１，２４ｄ２の折り曲げ方向は、図６のように筐体５０の背面側に限定されるものではない。例えば、図７に示されるように、折り返し片２４ｃ１，２４ｃ２，２４ｄ１，２４ｄ２を筐体５０の前面側に折り曲げてもよい。このとき、折り返し片２４ｃ１，２４ｃ２の筐体５０の前面側端部は、折り返し片２４ｄ１，２４ｄ２の筐体５０の前面側端部よりも後方に位置している。ここで、筐体５０の前面側とは、筐体５０の内部における空気の流れ方向の上流側から下流側に向かう方向を指している。
【００３０】
図６のように、折り返し片２４ｃ１，２４ｃ２，２４ｄ１，２４ｄ２を筐体５０の背面側に折り曲げることで、モータ固定支持具２４としての必要強度が確保される。また、折り返し片２４ｃ１，２４ｃ２，２４ｄ１，２４ｄ２が筐体５０の背面方向に折り曲げられている場合、モータ２３を固定するとき、組立作業者の手が、折り返し片２４ｃ１，２４ｃ２，２４ｄ１，２４ｄ２の端面に触れるおそれがなくなり、組立安全性が向上し、作業性が向上する。
【００３１】
図７のように、折り返し片２４ｃ１，２４ｃ２，２４ｄ１，２４ｄ２を筐体５０の前面側に折り曲げることで、モータ固定支持具２４としての必要強度が確保される。また、折り返し片２４ｃ１，２４ｃ２，２４ｄ１，２４ｄ２が筐体５０の前面方向に折り曲げられている場合、室外熱交換器２１の背面側から前面側に流入した空気を筐体５０の前面方向に流出する過程においてその空気の流れを乱すことなく空気の流れの乱れに起因する騒音を軽減できる。また、空気が滞留する部分がないため、熱交換の効率を改善することができる。
【００３２】
支持部２４ａの剛性を考えた場合、支持部２４ａの板厚、材質、長さ（支持部２４ａの高さ）が同一であれば、支持部２４ａの断面の断面二次モーメントを等価させることで同一の剛性を得ることができる。なお、図８で示すようにどちらか片側だけ折り返し片を設け、断面形状をＬ字形状にした場合では十分な剛性を得ることができない。このため、図９で示すように、一般的には折り返し片２４ｃ１，２４ｃ２，２４ｄ１，２４ｄ２を同じ延出方向の長さとすることで、剛性を確保している。図９に示される支柱部幅Ｗ２が同一であって板厚及び材質が同一の場合、折り返し片２４ｃ１，２４ｃ２，２４ｄ１，２４ｄ２の高さＨが高ければ高いほど断面二次モーメントは増加し、剛性が増す。このことに着目し、図６，図７に示すように、折り返し片２４ｃ１，２４ｃ２の高さを高くし（長さを長くし）、折り返し片２４ｄ１，２４ｄ２の高さを低くしても（長さを小さくしても）、断面二次モーメントが等価、すなわち同じ剛性の断面形状を得ることができる。
【００３３】
以上のように、本実施の形態１に係る空気調和機の室外機１００によれば、モータ固定支持具２４は、左右方向両側に各々設けられ、上下方向に延びる長尺状の基部２４ｂ１，２４ｂ２と、各基部２４ｂ１，２４ｂ２の両側端から短手方向に各々延出する折り返し片２４ｃ１，２４ｃ２，２４ｄ１，２４ｄ２と、を有し、基部２４ｂ１から基部２４ｂ２に向かう短手方向に延出する折り返し片２４ｃ１及び基部２４ｂ２から基部２４ｂ１に向かう短手方向に延出する折り返し片２４ｃ２の延出方向の長さは、折り返し片２４ｄ１，２４ｄ２の延出方向の長さよりも長く、基部２４ｂ１，２４ｂ２の両側端から短手方向に各々延びる折り返し片２４ｃ１，２４ｃ２，２４ｄ１，２４ｄ２は、折り曲げられた状態で、筐体５０の前面側又は筐体５０の背面側に延出している。このように、モータ固定支持具２４の強度を補強する折り返し片２４ｃ１，２４ｃ２，２４ｄ１，２４ｄ２が、モータ固定支持具２４の一要素となっているため、部品点数を増加させることなく、材料の使用量を削減し且つモータ固定支持具２４の強度を補強することができる。
【００３４】
また、折り返し片２４ｄ１，２４ｄ２の延出方向の長さを抑制すると（短くすると）、その長さを抑制した分だけ材料幅Ｗ１を抑制することができる。このため、材料の使用量を削減することができる。すなわち、折り返し片２４ｃ１，２４ｃ２の延出方向の長さを折り返し片２４ｄ１，２４ｄ２の延出方向の長さよりも長くすることで、折り返し片２４ｃ１と折り返し片２４ｄ１の高さを同一にした場合と同じ剛性を確保し且つ、材料使用量を削減することができ、省資源化に貢献することができる。
【００３５】
なお、折り返し片２４ｃ１，２４ｃ２，２４ｄ１，２４ｄ２は、少なくともモータ保持部より下部に設けられていればよい。ここで、「モータ保持部」とは、例えば、空洞部２４ｏ１と空洞部２４ｏ２との間の領域を指している。「モータ保持部より下部」とは、例えば、空洞部２４ｏ２の上に形成される開口縁よりも下側の領域を指している。このように折り返し片２４ｃ１，２４ｃ２，２４ｄ１，２４ｄ２を設けることで、室外機１００の輸送時において、ファン２２及びモータ２３の重さによるモータ固定支持具２４の変形を抑制することができる。
【００３６】
実施の形態２．
本実施の形態２においては、実施の形態１とは異なる折り返し片２４ｃ１，２４ｃ２，２４ｄ１，２４ｄ２の形状としたものである。なお、本実施の形態２において、特に記述しない項目については実施の形態１と同様とし、同一の機能や構成については同一の符号を用いて述べることとする。
【００３７】
図１０は、本発明の実施の形態２に係る空気調和機の室外機１００のモータ固定支持具２４の上面断面図である。図１０に示されるように、折り返し片２４ｄ１，２４ｄ２には膨出部２４Ａが設けられている。本実施の形態２においては、実施の形態１のように、折り返し片２４ｃ１，２４ｃ２，２４ｄ１，２４ｄ２を折り曲げることでモータ固定支持具２４を補強し、更に図１０に示されるように、折り返し片にプレス成型により膨出部２４Ａを設けている。これにより、断面二次モーメントは増加し、より一層強度補強を図ることができる。
【００３８】
以上のように、本実施の形態２に係る空気調和機の室外機１００は、折り返し片２４ｄ１，ｄ２に膨出部２４Ａを設けたものである。このため、さらに折り返し片２４ｄ１，２４ｄ２の高さを抑えることができ材料の使用量を削減することができる。
【００３９】
なお、膨出部２４Ａは、折り返し片２４ｄ１，２４ｄ２にのみ膨出部２４Ａを設ける例について説明したが、これに限定されない。折り返し片２４ｃ１，２４ｃ２，２４ｄ１，２４ｄ２の少なくとも１つに膨出部２４Ａが設けられていればよい。なお、折り返し片２４ｃ１，２４ｃ２，２４ｄ１，２４ｄ２の全てに膨出部２４Ａを設けることで、モータ固定支持具２４の強度を一層補強することができる。
【符号の説明】
【００４０】
１  仕切板、１０  機械室、１１  圧縮機、１２  電気品箱、１３  冷媒配管、２０  送風機室、２１  室外熱交換器、２２  ファン、２３  モータ、２４  モータ固定支持具、２４Ａ  膨出部、２４ａ，２４ａ１，２４ａ２  支持部、２４ｂ１，２４ｂ２  基部、２４ｃ１，２４ｃ２，２４ｄ１，２４ｄ２  折り返し片、２４ｏ１，２４ｏ２  空洞部、２４ｚ１，２４ｚ２，２４ｚ３，２４ｚ４  接続部、２５  上部板、２６  支持板接続部、５０  筐体、５０ａ  前側面パネル、５０ｂ  右側面パネル、５０ｃ  底面パネル、５０ｄ  天面パネル、１００  室外機、Ｈ  高さ、Ｗ１  材料幅、Ｗ２  支柱部幅。
【図１】
2016031213.tif 000003
【図２】
2016031213.tif 000004
【図３】
2016031213.tif 000005
【図４】
2016031213.tif 000006
【図５】
2016031213.tif 000007
【図６】
2016031213.tif 000008
【図７】
2016031213.tif 000009
【図８】
2016031213.tif 000010
【図９】
2016031213.tif 000011
【図１０】
2016031213.tif 000012